(57)【要約】【課題】本発明が解決しようとする課題は、カタログギフトセットの売上登録に際して、煩雑な操作を解消することができる商品販売データ処理装置およびプログラムを提供する。【解決手段】商品販売データ処理装置は、記憶部と、入力手段と、登録手段と、を備える。記憶部は、カタログを識別する第１識別情報と、１以上の前記カタログを有するカタログセットに関する情報と、を対応付けて記憶する。入力手段は、前記カタログの第１識別情報と、前記カタログに掲載されている品物の申込みをする書類を識別する第２識別情報と、の入力を制御する。登録手段は、前記入力手段から入力された前記第１識別情報を順次登録し、登録した前記第１識別情報の数と、前記第１識別情報に対応付けられたカタログセットに設定されているカタログの数とが一致した場合に、登録済みの１以上の前記第１識別情報と、前記第２識別情報とを前記カタログセットとして登録する。【選択図】図１
2015056073.tif 000002
【特許請求の範囲】
【請求項１】
カタログを識別する第１識別情報と、１以上の前記カタログの数を設定したカタログセットに関する情報と、を対応付けて記憶する記憶部と、
前記カタログの第１識別情報と、前記カタログに掲載されている品物の申込みをする書類を識別する第２識別情報と、の入力を制御する入力手段と、
前記入力手段から入力された前記第１識別情報を順次登録し、登録した前記第１識別情報の数と、前記第１識別情報に対応付けられたカタログセットに設定されているカタログの数とが一致した場合に、登録済みの１以上の前記第１識別情報と、前記第２識別情報とを前記カタログセットとして登録する登録手段と、
を備える商品販売データ処理装置。
【請求項２】
前記入力手段は、前記第２識別情報とは別の第２識別情報を入力し、
前記登録手段は、前記カタログセットの第２識別情報を当該別の第２識別情報に変更して、新たなカタログセットとして追加登録する、
請求項１に記載の商品販売データ処理装置。
【請求項３】
１以上のカタログを有する前記カタログセットを一つの商品として表示する表示制御手段をさらに備えた、
請求項１または２に記載の商品販売データ処理装置。
【請求項４】
前記表示制御手段は、前記カタログセットの第２識別情報を当該別の第２識別情報に変更して、新たなカタログセットとして追加登録する際に、追加登録する残りの前記第２識別情報の数を表示する、
請求項３に記載の商品販売データ処理装置。
【請求項５】
前記表示制御手段は、前記登録手段が登録した最初のカタログに応じた商品名を表示する、
請求項３または４に記載の商品販売データ処理装置。
【請求項６】
カタログを識別する第１識別情報と、１以上の前記カタログを有するカタログセットに関する情報と、を対応付けて記憶する記憶部を有するコンピュータを、
前記カタログの第１識別情報または前記カタログに掲載されている品物の申込みをする書類を識別する第２識別情報を入力する入力手段と、
前記入力手段から入力された前記第１識別情報の数と、前記第１識別情報に対応付けられたカタログセットに設定されているカタログの数とが一致した場合に、前記入力手段から入力された１以上のカタログと、前記第２識別情報とを前記カタログセットとして登録する登録手段と、
として機能させるプログラム。
【発明の詳細な説明】
【技術分野】
【０００１】
本発明の実施形態は、商品販売データ処理装置およびプログラムに関する。
【背景技術】
【０００２】
従来、小売店などでは、ＰＯＳ（Point  Of  Sale）システムに代表される商品販売データ処理装置が使用されている。
【０００３】
近年、複数の種類のカタログで構成されたカタログギフトセットが発売されている。送り主は、予算や送り先に合わせて多彩な組み合わせでカタログを選択する。
【０００４】
しかしながら、従来、このようなカタログギフトセットを商品販売データ処理装置を用いて売上登録を実施する場合、カタログギフトセットごとではなく、カタログごとに登録する必要があり、煩雑な操作になってしまっていた。
【発明の概要】
【発明が解決しようとする課題】
【０００５】
本発明が解決しようとする課題は、カタログギフトセットの売上登録に際して、煩雑な操作を解消することができる商品販売データ処理装置およびプログラムを提供することである。
【課題を解決するための手段】
【０００６】
実施形態の商品販売データ処理装置は、記憶部と、入力手段と、登録手段と、を備える。記憶部は、カタログを識別する第１識別情報と、１以上の前記カタログを有するカタログセットに関する情報と、を対応付けて記憶する。入力手段は、前記カタログの第１識別情報と、前記カタログに掲載されている品物の申込みをする書類を識別する第２識別情報と、の入力を制御する。登録手段は、前記入力手段から入力された前記第１識別情報を順次登録し、登録した前記第１識別情報の数と、前記第１識別情報に対応付けられたカタログセットに設定されているカタログの数とが一致した場合に、登録済みの１以上の前記第１識別情報と、前記第２識別情報とを前記カタログセットとして登録する。
【図面の簡単な説明】
【０００７】
【図１】図１は、実施形態にかかるＰＯＳ端末を示す外観斜視図である。
【図２】図２は、ＰＯＳ端末のハードウェア構成を示すブロック図である。
【図３】図３は、商品マスタのデータ構成例を示す図である。
【図４】図４は、カタログギフトセットマスタのデータ構成例を示す図である。
【図５】図５は、売上登録テーブルのデータ構成例を示す図である。
【図６】図６は、ＰＯＳ端末の機能構成を示すブロック図である。
【図７】図７は、ＰＯＳ端末のマイクロコンピュータがコンピュータプログラムに従って実行する売上登録処理の流れを示すフローチャートである。
【図８】図８は、カタログギフト登録画面の一例を示す説明図である。
【図９】図９は、報知画面の一例を示す説明図である。
【図１０】図１０は、ハガキコード登録画面の一例を示す説明図である。
【図１１】図１１は、ＰＯＳ端末のマイクロコンピュータがコンピュータプログラムに従って実行する乗算登録処理の流れを示すフローチャートである。
【図１２】図１２は、商品表示画面の一例を示す説明図である。
【図１３】図１３は、ハガキコード入力画面の一例を示す説明図である。
【図１４】図１４は、ハガキ報知画面の一例を示す説明図である。
【図１５】図１５は、カタログギフトセット登録後画面の一例を示す説明図である。
【発明を実施するための形態】
【０００８】
本実施の一形態を図面に基づいて説明する。本実施の形態は、商品販売データ処理装置として店舗に設置されたＰＯＳ端末１へ適用した例である。
【０００９】
図１は、実施形態にかかるＰＯＳ端末１を示す外観斜視図である。商品販売データ処理装置であるＰＯＳ端末１は、ドロワ２の上に載置されており、ドロワ２の引出し３の開放動作を制御することができる。ＰＯＳ端末１の上面右側にはユーザインタフェースとしてのキーボード４と表示部としてのオペレータ用表示器５とが配列され、上面左側にはプリンタ６が配列されている。オペレータ用表示器５は、一例として、液晶ディスプレイ装置である。ＰＯＳ端末１の上面後方には、客用表示器７が設けられている。図１において、ＰＯＳ端末１の右側面近傍に設けられている溝は、カードリーダライタ８（図２参照）によるカード情報の読み取り等をするためにカードをスキャンするためのカード読取溝９である。
【００１０】
キーボード４は、置数キーと、商品コードキーと、クリアキーと、戻りキーと、小計キーとを備える。置数キーは、商品コードや金額等の数字を入力するためのボタンである。商品コードキーは、置数キーで入力された数字を商品コードとして取り扱う場合に押下するボタンである。クリアキーは、エラー発生時などに操作を取り消すためのボタンである。戻りキーは、現在の操作をキャンセルして直前の画面に戻すためのボタンである。小計キーは、売上登録を完了して売上合計金額の算出を宣言するためのボタンである。
【００１１】
ＰＯＳ端末１は、オペレータから見てＰＯＳ端末１の右側面に、ＣＤ−ＲＯＭを装着するためのＣＤ−ＲＯＭトレイ１１が設けられている。また、ＰＯＳ端末１には、商品（図示せず）に付されたバーコードを光学的に読み取るバーコードリーダ１１が接続されている。
【００１２】
図２は、ＰＯＳ端末１のハードウェア構成を示すブロック図である。ＰＯＳ端末１は、マイクロコンピュータ１００を有している。マイクロコンピュータ１００は、ＣＰＵ（Central  Processing  Unit）１１０と、ＲＯＭ（Read  Only  Memory）１２０と、ＲＡＭ（Random  Access  Memory）１３０とを備える。ＣＰＵ１１０は、各種演算処理を実行し各部を制御する。ＲＯＭ１２０は、固定データを固定的に記憶保存する。ＲＡＭ１３０は、可変データを書き換え自在に記憶してワークエリアとして使用される。ＣＰＵ１１０と、ＲＯＭ１２０と、ＲＡＭ１３０とは、バスライン１４０を介して接続される。マイクロコンピュータ１００は、情報処理を実行する情報処理部を構成する。
【００１３】
マイクロコンピュータ１００は、前述したドロワ２と、キーボード４と、オペレータ用表示器５と、プリンタ６と、客用表示器７と、カードリーダライタ８と、バーコードリーダ１１とを、入出力回路（全て図示せず）とバスライン１４０とを介して制御する。
【００１４】
また、ＰＯＳ端末１は、ＨＤＤ（Hard  Disk  Drive）１５０と、ＣＤ−ＲＯＭドライブ１６０と、通信インタフェース１７０とを備える。そして、ＨＤＤ１５０と、ＣＤ−ＲＯＭドライブ１６０と、通信インタフェース１７０とは、バスライン１４０を介してマイクロコンピュータ１００に接続する。
【００１５】
通信インタフェース１７０は、店舗内に設けられた構内通信回線網２００を介して上位装置であるストアコントローラ３００とデータ通信を行う。また、通信インタフェース１７０は、インターネットを介して外部コンピュータとデータ通信を行うことが可能である。
【００１６】
記憶部であるＨＤＤ１５０は、オペレーティングシステムと、各種コンピュータプログラムと、商品マスタＭ１、カタログギフトセットマスタＭ２と、売上登録テーブルＴとを記憶する。オペレーティングシステムと、各種コンピュータプログラムとは、ＰＯＳ端末１が備えている機能を発揮させるためのプログラムである。
【００１７】
ここで、カタログギフトセットについて説明を行う。カタログギフトセットは、送り主が送り先に合せて複数のカタログを選択して、申込みハガキとともに贈るギフトである。まず、送り主は、カタログギフトセットのコースを選択する。コースは、カタログに掲載されている商品やコンセプトなど様々な観点によって設けられるが、予算によって分類されることが一般的である。その後、選択したコースから所定の数のカタログを選択する。その際、送り主が選択するカタログの冊数は、コースごとに予め定められており、複数であってもよいし、１冊であってもよい。所定の数のカタログを選択した送り主は、申込みハガキとともに送り先に贈る。
【００１８】
カタログギフトセットを贈られた送り先は、贈られた複数のカタログから所望の品物を選択する。その後、送り先は、同封されていた申込みハガキに選択した品物を記載して投函する。申込みハガキを送付された販売業者は、申込みハガキに記載されている商品を送り先に郵送する。これにより、送り主は、送り先にギフトを贈ることができる。また、結婚式の引き出物として大量のカタログギフトセットを贈る場合に、送り主は、同一コースの同一カタログを複数購入することがある。
【００１９】
商品マスタＭ１は、商品コードに関連付けて商品に関する各種情報を記憶している。ここで、図３は、商品マスタＭ１のデータ構成例を示す図である。商品マスタＭ１は、商品コードと、品番と、商品名とを記憶する。商品コードは、商品を識別するための固有の情報である。品番は、商品を区別するための番号である。カタログの場合には、品番は、カタログギフトセットのコース品番が記憶される。商品名は、商品の名称である。カタログの場合には、商品名は、カタログの名称が記憶される。
【００２０】
カタログギフトセットマスタＭ２は、１以上のカタログの冊数を設定したカタログギフトセットの情報が記憶されているデータベースである。ここで、図４は、カタログギフトセットマスタＭ２のデータ構成例を示す図である。カタログギフトセットマスタＭ２は、コース品番と、コース名と、成立セット個数と、金額とを記憶する。コース品番は、カタログギフトセットが所属しているコースの品番である。コース名は、カタログが所属しているコースの名称である。成立セット個数は、カタログギフトセットを構成する送り主が選択するカタログの冊数である。金額は、カタログギフトセットの売値である。
【００２１】
売上登録テーブルＴは、購入希望の商品を売上登録した情報の集合である。ここで、図５は、売上登録テーブルＴのデータ構成例を示す図である。売上登録テーブルＴは、商品コードと、品番と、商品名と、金額と、冊数と、カタログ名と、カタログ商品コードとを記憶する。商品コードは、入力された商品コードを記憶する項目である。なお、入力された商品コードがカタログギフトセットの場合には、商品コードは、申込みハガキに付されているハガキコードを記憶する。品番は、商品を区別するための番号である。入力された商品コードがカタログギフトセットの場合には、品番は、コース品番を記憶する。商品名は、入力された商品コードの商品名を記憶する項目である。入力された商品コードがカタログの場合には、商品名は、カタログが所属しているコースの名称が記憶される。金額は、入力された商品コードの商品の売値を記憶する項目である。冊数と、カタログ名と、カタログ商品コードとは、入力された商品コードがカタログギフトセットであった場合に登録される項目である。冊数は、入力された商品コードのカタログが所属するコースの成立セット個数を記憶する項目である。カタログ名は、入力された商品コードのカタログ名を記憶する項目である。カタログ商品コードは、カタログに付されている入力された商品コードを記憶する項目である。また、カタログ名と、カタログ商品コードとは、複数登録されてもよい。図５は、商品Ａと、カタログギフトセットＡＡＡとが登録されている状態を示している。
【００２２】
ここで、ＨＤＤ１５０に記憶されているカタログの商品コードと、カタログギフトセットに関する情報とは対応付けて記憶されていることが好ましく、正規化されていてもよい。本実施形態においては、商品マスタＭ１において商品コードと、品番および品番コードとが対応付けられて記憶されている。そして、カタログギフトセットマスタＭ２において、品番および品番コードと、カタログギフトセットに関する情報とが対応付けられて記憶されている。これにより、商品コードと、カタログギフトセットに関する情報とが対応付けて記憶されている。そして、カタログギフトセットに関する情報を別のデータベースに記憶させたことにより、カタログギフトセットに関する情報を変更する場合に、作業者は、カタログギフトセットマスタＭ２のみを変更すればよい。これにより、本実施形態は、保守性を向上させている。
【００２３】
ここで、オペレーティングシステム、コンピュータプログラム、及び、データファイルの一部は、例えば、ＣＤ−ＲＯＭに記憶され、ＣＤ−ＲＯＭドライブ１６０によって読み取られてＨＤＤ１５０に記憶される。または、インターネット等を介して外部コンピュータからダウンロードし、ＨＤＤ１５０に記憶するようにしても良い。このようなオペレーティングシステム、コンピュータプログラム、及び、データファイルは、ＰＯＳ端末１の起動時、その全部又は一部がＲＡＭ１３０にコピーされて使用される。
【００２４】
次に、本実施形態にかかるＰＯＳ端末１のマイクロコンピュータ１００が、コンピュータプログラムに従って実行する特徴的な処理について説明する。なお、従来から行なわれている処理と同様の処理についてはその説明を省略する。
【００２５】
図６は、ＰＯＳ端末１の機能構成を示すブロック図である。マイクロコンピュータ１００は、コンピュータプログラムに従って動作することにより、図６に示すように、入力手段１０１と、検索手段１０２と、登録手段１０３と、報知手段１０４と、表示制御手段１０５と、として機能する。
【００２６】
入力手段１０１は、キーボード４と、バーコードリーダ１１と、を制御して各種操作を受け付ける手段である。キーボード４からの入力の場合に、入力手段１０１は、各種操作キー毎に対応したキー信号の入力を受け付ける。バーコードリーダ１１からの入力の場合に、入力手段１０１は、バーコードや二次元コードなどのコードシンボルから検出されたコード情報の入力を受け付ける。そして、入力手段１０１は、キーボード４と、バーコードリーダ１１とを制御することで、カタログを識別する第１識別情報である商品コードの入力を受け付ける。または、申込みハガキを識別する第２識別情報であるハガキコードの入力を受け付ける。または、入力手段１０１は、申込みハガキの数を指定する入力や、登録したカタログの解除操作の入力を受け付ける。
【００２７】
検索手段１０２は、入力手段１０１によって入力された商品コードを有するカタログが所属するコースの品番をカタログギフトセットマスタＭ２から検索する。これにより、検索手段１０２は、入力された商品コードを有している商品がカタログであるか否かを判定する。すなわち、検索手段１０２は、品番がカタログギフトセットマスタＭ２に存在しない場合に、通常の商品であると判定する。
【００２８】
登録手段１０３は、入力された商品コードを売上登録テーブルＴに登録する。登録手段１０３は、入力手段１０１から入力されたカタログの商品コードの数と、成立セット個数の数とが一致した場合に、１以上のカタログと、ハガキコードとをカタログギフトセットとして売上登録テーブルＴに登録する。これにより、一つの商品として取り扱われることになる。また、登録手段１０３は、最初に登録されたカタログが所属しているコースの品番を、売上登録テーブルＴの品番に登録する。これにより、カタログギフトセットのコースが設定されている。
【００２９】
さらに、登録手段１０３は、一つの商品として登録された複数のカタログの商品コードと、重複していない複数の申込みハガキのハガキコードとを関連付けて登録することが可能である。すなわち、登録手段１０３は、カタログギフトセットのハガキコードを変更して、新たなカタログギフトセットを追加登録することが可能である。これにより、結婚式の引き出物などの大量に用意する場合に、個々にカタログを登録する必要が無くなり、操作が簡易になることから操作ミスを低減することが可能となる。
【００３０】
また、売上登録テーブルＴに登録する際に、登録手段１０３は、各種コードシンボルが仕様として有しているチェック機能で問題がないと判定された場合に登録する。各種コードシンボルが仕様として有しているチェック機能とは、例えば、チェックディジットなどである。
【００３１】
報知手段１０４は、登録手段１０３が実施したチェックで問題があると判定された場合に報知する。または、報知手段１０４は、カタログギフトセットのコースの対象ではないカタログを登録した場合や、同一の申込みハガキを登録した場合や、同一のカタログギフトセットにおいて同一のカタログを登録した場合に報知する。
【００３２】
表示制御手段１０５は、オペレータ用表示器５および客用表示器７への表示を制御する。また、表示制御手段１０５は、売上登録テーブルＴに登録されたカタログギフトセットなどの商品の表示を制御する。すなわち、表示制御手段１０５は、１以上のカタログを有するカタログセットを一つの商品として表示させる。
【００３３】
次に、上述した実施形態にかかるＰＯＳ端末１のマイクロコンピュータ１００がコンピュータプログラムに従って実行するカタログギフトセットの売上登録処理について説明する。図７は、ＰＯＳ端末１のマイクロコンピュータ１００がコンピュータプログラムに従って実行する売上登録処理の流れを示すフローチャートである。
【００３４】
まず、ＰＯＳ端末１のマイクロコンピュータ１００は、商品が登録されていない商品登録画面（不図示）を表示して店員に商品コードの入力を促す（ステップＳ１）。次いで、ＰＯＳ端末１のマイクロコンピュータ１００は、商品コードが入力されるか否かを判定する（ステップＳ２）。商品コードが入力されない場合に（ステップＳ２；Ｎｏ）、ＰＯＳ端末１のマイクロコンピュータ１００は、ステップＳ２１に移行する。一方、商品コードが入力された場合に（ステップＳ２；Ｙｅｓ）、ＰＯＳ端末１のマイクロコンピュータ１００は、バーコードリーダ１１が商品に付されたバーコードを読み取ることによって、入力された商品コードを売上登録テーブルＴに登録する（ステップＳ３）。なお、商品コードの入力は、キーボード４から手入力で入力してもよい。
【００３５】
次いで、ＰＯＳ端末１のマイクロコンピュータ１００は、商品マスタＭ１において商品コードに関連付けられている品番をキーにして、一致する品番コードをカタログギフトセットマスタＭ２から検索する（ステップＳ４）。品番と一致する品番コードがカタログギフトセットマスタＭ２に含まれていない場合に（ステップＳ５；Ｎｏ）、ＰＯＳ端末１のマイクロコンピュータ１００は、通常商品であると判定して売上登録テーブルＴに登録する（ステップＳ６）。品番と一致する品番コードがカタログギフトセットマスタＭ２に含まれている場合に（ステップＳ５；Ｙｅｓ）、ＰＯＳ端末１のマイクロコンピュータ１００は、カタログギフトセットであると判定してカタログギフトセット登録画面Ｇ１を表示する（ステップＳ７）。
【００３６】
図８は、カタログギフトセット登録画面Ｇ１の一例を示す説明図である。カタログギフトセット登録画面Ｇ１は、品番情報表示領域Ｒ１と、取得内容表示領域Ｒ２と、メッセージ表示領域Ｒ３と、売上表示領域Ｒ４とを備える。品番情報表示領域Ｒ１は、カタログギフトセットの品番と、カタログギフトセットの名称とを表示する領域である。カタログギフトセットの品番とは、カタログが所属しているコース品番である。そして、品番情報表示領域Ｒ１には、最初に登録されたカタログが所属しているコースのカタログギフトセットの名称と、カタログギフトセットの品番とが表示される。このように、最初に入力されたカタログが所属しているコースをカタログギフトセットのコースとして登録することで、改めて設定する手間を省いている。
【００３７】
取得内容表示領域Ｒ２は、入力されたカタログの商品コードと、商品コードのカタログ名称とを表示する領域である。メッセージ表示領域Ｒ３は、店員へのメッセージを表示する領域である。売上表示領域Ｒ４は、小計表示欄と、値割引合計欄と、前回釣り額欄と、合計金額欄とを備えた、売上金額に関する情報を表示する領域である。メッセージ表示領域Ｒ３は、図８に示すように、「カタログの商品コードを入力して下さい。キャンセルする場合は、［戻り］キーを押下して下さい。」と表示して操作の入力を求める。
【００３８】
次いで、ＰＯＳ端末１のマイクロコンピュータ１００は、キーボード４の戻りキーが押下されるか否かを判定する（ステップＳ８）。キーボード４の戻りキーが押下された場合に（ステップＳ８；Ｙｅｓ）、ＰＯＳ端末１のマイクロコンピュータ１００は、カタログギフトセットの売上登録をキャンセルしてステップＳ１に戻る。キーボード４の戻りキーが押下されない場合に（ステップＳ８；Ｎｏ）、ＰＯＳ端末１のマイクロコンピュータ１００は、成立セット個数が１冊であるか否かを判定する（ステップＳ９）。
【００３９】
成立セット個数が１冊である場合に（ステップＳ９；Ｙｅｓ）、ＰＯＳ端末１のマイクロコンピュータ１００は、さらにカタログを登録する必要がないことからステップＳ１６に移行する。一方、成立セット個数が１冊ではない場合に（ステップＳ９；Ｎｏ）、ＰＯＳ端末１のマイクロコンピュータ１００は、商品コードが入力されるか否かを判定する（ステップＳ１０）。商品コードが入力されない場合に（ステップＳ１０；Ｎｏ）、ＰＯＳ端末１のマイクロコンピュータ１００は、ステップＳ８に移行する。商品コードが入力された場合に（ステップＳ１０；Ｙｅｓ）、ＰＯＳ端末１のマイクロコンピュータ１００は、入力されたカタログの商品コードを売上登録テーブルＴに登録する（ステップＳ１１）。
【００４０】
次いで、ＰＯＳ端末１のマイクロコンピュータ１００は、売上登録テーブルＴに登録されたカタログが登録条件を満たしているか否かを判定する（ステップＳ１２）。登録条件を満たすか否かは、下記を基準に判定される。
（１）同一のカタログが登録されているか否かのチェック
同一の商品コードを有するカタログは、掲載されている商品も同一である。すなわち、既に登録されたカタログの商品コードと、重複した商品コードである場合には、誤入力であると考えられる。よって、既に登録された同一カタログでないことをチェックする。
（２）カタログギフトセットマスタＭ２に登録されたカタログであるか否かのチェック
カタログギフトセットマスタＭ２に登録されていない商品コードである場合には、カタログギフトセットのカタログではない。よって、カタログギフトセットマスタＭ２に登録された商品コードであることをチェックする。
（３）カタログの品番チェック
カタログギフトセットは、コースによって対象のカタログが異なる。よって、読み取ったカタログの品番と、売上登録テーブルＴに登録されている品番とを比較することにより登録中のカタログギフトセットのコースに対応したカタログであるか否かを判定する。
【００４１】
売上登録テーブルＴに登録されたカタログが登録条件を満たしていない場合に（ステップＳ１２；Ｎｏ）、ＰＯＳ端末１のマイクロコンピュータ１００は、報知画面Ｇ２を表示する（ステップＳ１３）。ここで、図９は、報知画面Ｇ２の一例を示す説明図である。報知画面Ｇ２は、図９に示すように、条件を満たしていないと判定した理由を表示して、カタログの登録の取り消しを求める。図９は、登録済みのカタログを更に登録した場合の報知画面Ｇ２である。店員がキーボード４のクリアキーを押下して取り消し処理を行うと、ＰＯＳ端末１のマイクロコンピュータ１００は、売上登録テーブルＴからカタログの登録を取り消した後に（ステップＳ１４）、ステップＳ８へ移行する。
【００４２】
一方、売上登録テーブルＴに登録されたカタログが登録条件を満たしている場合に（ステップＳ１２；Ｙｅｓ）、ＰＯＳ端末１のマイクロコンピュータ１００は、登録されたカタログの冊数が、成立セット個数に達しているか否かを判定する（ステップＳ１５）。成立セット個数に達していない場合に（ステップＳ１５；Ｎｏ）、ＰＯＳ端末１のマイクロコンピュータ１００は、ステップＳ８に移行して引き続きカタログの商品コードを登録する。一方、成立セット個数に達している場合に（ステップＳ１５；Ｙｅｓ）、ＰＯＳ端末１のマイクロコンピュータ１００は、ハガキコード登録画面Ｇ３を表示する（ステップＳ１６）。
【００４３】
ここで、図１０は、ハガキコード登録画面Ｇ３の一例を示す説明図である。ハガキコード登録画面Ｇ３は、カタログギフトセット登録画面Ｇ１と同様の画面構成であるが、取得内容表示領域Ｒ２にカタログが登録されていることと、メッセージ表示領域Ｒ３のメッセージ内容とが異なっている。メッセージ表示領域Ｒ３は、図１０に示すように、「ハガキのハガキコードを入力して下さい。キャンセルする場合は、［戻り］キーを押下して下さい。」と表示して操作の入力を求める。
【００４４】
次いで、ＰＯＳ端末１のマイクロコンピュータ１００は、キーボード４の戻りキーが押下されるか否かを判定する（ステップＳ１７）。キーボード４の戻りキーが押下された場合に（ステップＳ１７；Ｙｅｓ）、ＰＯＳ端末１のマイクロコンピュータ１００は、カタログギフトセットの売上登録をキャンセルしてステップＳ１に戻る。キーボード４の戻りキーが押下されない場合に（ステップＳ１７；Ｎｏ）、ＰＯＳ端末１のマイクロコンピュータ１００は、ハガキコードが入力されるか否かを判定する（ステップＳ１８）。ハガキコードは、発送用の識別コード（通し番号）である。
【００４５】
バーコードリーダ１１がハガキに付されたバーコードを読み取ることによって、ハガキコードが入力された場合に（ステップＳ１８；Ｙｅｓ）、ＰＯＳ端末１のマイクロコンピュータ１００は、ハガキコードを売上登録テーブルＴに登録する（ステップＳ１９）。なお、ハガキコードの入力は、キーボード４から手入力で入力してもよい。一方、ハガキコードが入力されない場合に（ステップＳ１８；Ｎｏ）、ステップＳ１７に戻る。
【００４６】
カタログギフトセットの登録が完了したＰＯＳ端末１のマイクロコンピュータ１００は、商品表示画面Ｇ４を表示する（ステップＳ２０）。ここで、図１１は、商品表示画面Ｇ４の一例を示す説明図である。商品表示画面Ｇ４は、登録商品一覧表示領域Ｒ５と、前回登録商品表示領域Ｒ６と、登録商品売上表示領域Ｒ７と、を備える。
【００４７】
登録商品一覧表示領域Ｒ５は、登録された商品の一覧を表示する領域である。そして、登録商品一覧表示領域Ｒ５は、商品名欄と、単価欄と、点数欄と、割引／値引欄と、金額欄と、を表示する。商品名欄は、登録された商品の商品名と商品コードとを表示する欄である。表示される商品がカタログギフトセットの場合には、商品コードの変わりにハガキコードが表示される。単価欄は、登録された商品の１個あたりの価格を表示する欄である。点数欄は、登録された商品が購入される個数を表示する欄である。割引／値引欄は、割引または値引する場合に表示する欄である。金額欄は、登録された商品について、実際に購入される個数分の金額を表示する欄である。
【００４８】
前回登録商品表示領域Ｒ６は、前回登録された商品の商品名と、商品コード（カタログギフトセットの場合にはハガキコード）と、品番と、単価と、点数と、を表示する領域である。すなわち、最初に登録されたカタログが所属しているコースが売上登録テーブルＴに登録されることから、商品表示画面Ｇ４は、最初に登録されたカタログのコース名を商品名として表示する。図１１は、商品名がカタログギフトセットＡＡＡについて、ハガキコードが１２００００１７７５８３の申込みハガキと関連付けられて登録された状態を示している。登録商品売上表示領域Ｒ７は、小計表示欄と、値割引合計欄と、前回釣り額欄と、合計金額欄とを備えた、売上金額に関する情報を表示する領域である。
【００４９】
次いで、ＰＯＳ端末１のマイクロコンピュータ１００は、後述する後乗算操作が入力されるか否かを判定する（ステップＳ２１）。後乗算操作が入力されない場合に（ステップＳ２１；Ｎｏ）、ＰＯＳ端末１のマイクロコンピュータ１００は、ステップＳ１に戻る。後乗算操作が入力された場合に（ステップＳ２１；Ｙｅｓ）、ＰＯＳ端末１のマイクロコンピュータ１００は、後乗算処理に移行する（ステップＳ２２）。
【００５０】
次に、カタログギフトセットの登録完了後に後乗算操作が入力された場合の乗算登録処理について説明を行う。後乗算操作とは、カタログギフトセットが登録された後に、登録されたカタログギフトセットに複数の申込みハガキを関連付ける操作である。図１２は、ＰＯＳ端末１のマイクロコンピュータ１００が制御プログラムに従って実行する乗算登録処理の流れを示すフローチャートである。
【００５１】
商品表示画面Ｇ４を表示した（ステップＳ３１）、ＰＯＳ端末１のマイクロコンピュータ１００は、後乗算操作が入力されるか否かを判定する（ステップＳ３２）。後乗算操作が入力されない場合に（ステップＳ３２；Ｎｏ）、ＰＯＳ端末１のマイクロコンピュータ１００は、ステップＳ３１に戻る。後乗算操作が入力された場合に（ステップＳ３２；Ｙｅｓ）、ＰＯＳ端末１のマイクロコンピュータ１００は、ハガキコード入力画面Ｇ５を表示する（ステップＳ３３）。後乗算操作の入力とは、例えば、キーボード４に備えられた乗算キーを押下し、置数キーで数量を指定し、金額キーを押下する入力である。これにより、ＰＯＳ端末１のマイクロコンピュータ１００は、関連付ける申込みハガキの枚数を設定する。
【００５２】
ここで、図１３は、ハガキコード入力画面Ｇ５の一例を示す説明図である。ハガキコード入力画面Ｇ５は、「ハガキのハガキコードを入力して下さい。」とのメッセージを表示して、申込みハガキのハガキコードの入力を求める画面である。さらに、ハガキコード入力画面Ｇ５は、「残り４枚です。」との追加登録が必要な残りの申込みハガキの枚数のメッセージを表示する。先に申込みハガキが登録されていることから、ハガキコード入力画面Ｇ５は、ハガキコードを入力すべき残りの申込みハガキの枚数を報知する。また、ＰＯＳ端末１のマイクロコンピュータ１００は、申込みハガキのハガキコードが入力されると、報知している申込みハガキの枚数をディクリメントする。そして、ハガキコード入力画面Ｇ５は、設定した数の申込みハガキのハガキコードが登録された場合に消去される。
【００５３】
次いで、ＰＯＳ端末１のマイクロコンピュータ１００は、ハガキコードが入力されるか否かを判定する（ステップＳ３４）。バーコードリーダ１１がハガキに付されたバーコードを読み取ることによって、ハガキコードが入力された場合に（ステップＳ３４；Ｙｅｓ）ＰＯＳ端末１のマイクロコンピュータ１００は、ハガキコードを売上登録テーブルＴに登録する（ステップＳ３５）。なお、ハガキコードの入力は、キーボード４から手入力で入力してもよい。一方、ハガキコードが入力されない場合に（ステップＳ３４；Ｎｏ）、ステップＳ３９に移行する。
【００５４】
次いで、ＰＯＳ端末１のマイクロコンピュータ１００は、入力されたハガキコードの申込みハガキが、既に登録された申込みハガキと同一であるか否かを判定する（ステップＳ３６）。申込みハガキのハガキコードは、申込みハガキを識別する固有の情報である。また、申込みハガキは、それぞれ別々の送り先に届けられることから、同一の重複したハガキコードが登録されることはない。よって、既に登録された申込みハガキと同一のハガキコードが入力された場合に（ステップＳ３６；Ｙｅｓ）、ＰＯＳ端末１のマイクロコンピュータ１００は、ハガキ報知画面Ｇ６を表示して報知する（ステップＳ３７）。
【００５５】
ここで、図１４は、ハガキ報知画面Ｇ６の一例を示す説明図である。ハガキ報知画面Ｇ６は、図１４に示すように、メッセージを表示して申込みハガキの登録の取り消しを求める。店員がキーボード４のクリアキーを押下すると、ＰＯＳ端末１のマイクロコンピュータ１００は、申込みハガキの登録を取り消した後に（ステップＳ３８）、ステップＳ３４へ移行する。
【００５６】
一方、入力されたハガキコードの申込みハガキが、既に登録された申込みハガキと同一のハガキコードではない場合に（ステップＳ３６；Ｎｏ）、ＰＯＳ端末１のマイクロコンピュータ１００は、キーボード４の確定キーが押下されるか否かを判定する（ステップＳ３９）。キーボード４の確定キーは、申込みハガキの数を確定する場合に押下するキーである。すなわち、キーボード４の確定キーが押下された場合に（ステップＳ３９；Ｙｅｓ）、ＰＯＳ端末１のマイクロコンピュータ１００は、申込みハガキのハガキコードの登録を途中で中断して、入力済みのハガキコードの登録を完了してステップＳ４１に移行する。一方、キーボード４の確定キーが押下されない場合に（ステップＳ３９；Ｎｏ）、ＰＯＳ端末１のマイクロコンピュータ１００は、登録された申込みハガキの登録数が設定した乗算数に達したか否かを判定する（ステップＳ４０）。
【００５７】
登録された申込みハガキの枚数が設定した乗算数に達していない場合に（ステップＳ４０；Ｎｏ）、ＰＯＳ端末１のマイクロコンピュータ１００は、ステップＳ３４に移行する。一方、登録された申込みハガキの登録数が設定した乗算数に達している場合に（ステップＳ４０；Ｙｅｓ）、ＰＯＳ端末１のマイクロコンピュータ１００は、ハガキコード入力画面Ｇ５を消去してカタログギフトセット登録後画面Ｇ７を表示して処理を終了する（ステップＳ４１）。
【００５８】
ここで、図１５は、カタログギフトセット登録後画面Ｇ７の一例を示す説明図である。カタログギフトセット登録後画面Ｇ７は、商品表示画面Ｇ４に、登録された申込みハガキの情報が加えられて表示された画面である。よって、図１５は、登録商品一覧表示領域Ｒ５に４枚と、前回登録商品表示領域Ｒ６に１枚との合計５枚の申込みハガキが登録された状態を示している。
【００５９】
以上のように、本実施形態によれば、入力された複数のカタログの商品コードと、申込みハガキのハガキコードとを関連付けて一つの商品として登録する登録手段１０３を備えている。そして、表示制御手段１０５は、一つの商品として登録されたカタログギフトセットを表示する。よって、複数のカタログを一つの商品として表示されることにより、煩雑な操作を解消することが可能となる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６１】
なお、上記実施形態では、カタログギフトセットマスタＭ２は、ＨＤＤ１５０に記憶されていると説明したが、ＰＯＳ端末１以外に記憶されていてもよい。例えば、ストアコントローラ３００などに記憶されていてもよい。この場合には、通信インタフェース１７０を介してカタログギフトセットマスタＭ２を検索すればよい。
【００６２】
なお、上記実施形態では、成立セット個数は、コースごとに予め定められていると説明したが、ＰＯＳ端末１で任意の冊数を設定可能としてもよい。この場合には、最初のカタログの商品コードを読み取った際に、カタログの冊数を設定すればよい。
【００６３】
なお、上記実施形態では、入力手段１０１は、キーボード４またはバーコードリーダ１１からの入力を制御すると説明している。しかし、入力手段１０１が制御する入力はこれに限らない。例えば、オペレータ用表示器５または客用表示器７にタッチパネルをさらに備え、タッチパネルからの入力を制御してもよい。
【００６４】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６５】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００６６】
１      ＰＯＳ端末
Ｍ１    商品マスタ
Ｍ２    カタログギフトセットマスタ
Ｔ      売上登録テーブル
１００  マイクロコンピュータ
１０１  入力手段
１０３  登録手段
１０５  表示制御手段
Ｇ３    ハガキコード登録画面
Ｇ５    ハガキコード入力画面
Ｇ７    カタログギフトセット登録後画面
【先行技術文献】
【特許文献】
【００６７】
【特許文献１】特開平１０−２２８５０８号公報
【図１】
2015056073.tif 000003
【図２】
2015056073.tif 000004
【図３】
2015056073.tif 000005
【図４】
2015056073.tif 000006
【図５】
2015056073.tif 000007
【図６】
2015056073.tif 000008
【図７】
2015056073.tif 000009
【図８】
2015056073.tif 000010
【図９】
2015056073.tif 000011
【図１０】
2015056073.tif 000012
【図１１】
2015056073.tif 000013
【図１２】
2015056073.tif 000014
【図１３】
2015056073.tif 000015
【図１４】
2015056073.tif 000016
【図１５】
2015056073.tif 000017